(57)【要約】【課題】移動する用紙等の被検出物が接触して揺れ動く可動部材をその停止している位置に戻す力を発生する金属ばねに静電気が放電することがあっても、その可動部材が揺れ動くことを検出して電気信号を発する検出部品を簡易な構成で静電気から保護することができる検出装置とそれを用いた用紙処理装置を提供する。【解決手段】検出装置は、移動する被検出物を扱う対象装置の検出位置に取り付ける支持体と、支持体から突出している部分に被検出物が接触して通過することで停止している位置から揺れ動かされる可動部材と、支持体と可動部材の双方に接触した状態で取り付けられ、可動部材が揺れ動いたときに可動部材を停止位置に戻す力を発生する金属ばねと、支持体に取り付けられ、可動部材が揺れ動いたことを検出して電気信号を生成する検出部品とを有し、前記金属ばねが、前記対象装置において接地されている部材と接触する通電部を備えている。【選択図】図８
2012006718.tif 000002
【特許請求の範囲】
【請求項１】
移動する被検出物を扱う対象装置の検出位置に取り付ける支持体と、
前記支持体から突出している部分を有するとともに当該支持体に支点を中心に揺れ動く状態で支持され、当該突出部分に被検出物が接触して通過することで停止している位置から揺れ動かされる可動部材と、
前記支持体と前記可動部材の双方に接触した状態で取り付けられ、当該可動部材が揺れ動いたときに当該可動部材を前記停止位置に戻す力を発生する金属ばねと、
前記支持体に取り付けられ、前記可動部材が揺れ動いたことを検出して電気信号を生成する検出部品と
を有し、
前記金属ばねが、前記対象装置において接地されている部材と接触する通電部を備えていることを特徴とする検出装置。
【請求項２】
前記可動部材が、揺れ動くときの支点となる回転軸部を有する形状であり、
前記金属ばねが、前記可動部材の回転軸部の周囲に回転自在に取り付けられる螺旋巻き部を有する形状であって、前記螺旋巻き部の一端から延びる一端部が前記支持体の一部に接触した状態で取り付けられ、前記螺旋巻き部の他端から延びる他端部が前記可動部材の一部に接触した状態で取り付けられ、
前記金属ばねの通電部が、当該金属ばねの前記一端部と前記接地されている部材の双方に接触する通電材で構成されている請求項１に記載の検出装置。
【請求項３】
前記可動部材が、揺れ動くときの支点となる回転軸部を有する形状であり、
前記金属ばねが、前記可動部材の回転軸部の周囲に回転自在に取り付けられる螺旋巻き部を有する形状であって、前記螺旋巻き部の一端から延びる一端部が前記支持体の一部に接触した状態で取り付けられ、前記螺旋巻き部の他端から延びる他端部が前記可動部材の一部に接触した状態で取り付けられ、
前記金属ばねの通電部が、当該金属ばねの前記一端部を前記接地されている部材と接触するように形成して構成されている請求項１に記載の検出装置。
【請求項４】
前記支持体に着脱自在に取り付けられるとともに、前記金属ばねの通電部の一部を当該支持体の一部に押し付けて固定した状態に保つ着脱部材を有している請求項１乃至３のいずれか１項に記載の検出装置。
【請求項５】
筐体と、前記筐体の内部に形成されて用紙を搬送する搬送路と、前記搬送路を搬送される用紙の通過を検出する検出装置とを有し、
前記検出装置が、請求項１乃至４のいずれか１項に記載の検出装置で構成されていることを特徴とする用紙処理装置。
【請求項６】
前記検出装置は、前記支持体が接地及びめっき処理されている金属板に取り付けて固定されており、
前記金属板は、金属が露出する端面部を有しており、
前記金属ばねの通電部は、前記金属板の端面部に接触するように形成されている請求項５に記載の用紙処理装置。
【請求項７】
前記筐体の内部に設置されて用紙に画像を形成する画像形成部を有する請求項５又は６に記載の用紙処理装置。
【発明の詳細な説明】
【技術分野】
【０００１】
この発明は、検出装置及び用紙処理装置に関するものである。
【背景技術】
【０００２】
用紙に画像を形成する画像形成装置、用紙を供給する用紙供給装置、用紙（原稿）を送る原稿送り装置、用紙に後処理（綴じる、穴あけ、折る等の処理）を施す後処理装置等の用紙を扱う用紙処理装置においては、用紙が所要の搬送路に予定通り搬送されているか否かを検出する検出装置を設置しているものがある。そして、この用紙処理装置では、その検出装置から得られる検出情報に基づいて、用紙の所在の判別や、用紙の搬送不良の発生の判別や、他の構成部品の動作時期の判別などが行われている。
【０００３】
従来、このような検出装置を用いた用紙処理装置のなかには、その検出装置が静電気の放電により故障することを防止するための対策を講じているものがあり、例えば以下のものが知られている。
【０００４】
まず、用紙の給紙又は排紙が行われる開口部の近傍に、用紙の有無又は通過を検出するための電子回路基板を有する用紙検出手段を具備し、その用紙検出手段の周辺部位に導電性部材を配置し、その導電性部材をアースした用紙処理装置が知られている（特許文献１）。この用紙処理装置は、例えば、前記用紙検出手段として、用紙の有無で姿勢が変更されるアクチュエータを光センサで検出するものを使用し、前記導電性部材が、用紙を充填される給紙トレイを横断する搬送ローラの導電性材料製のローラ軸を介してアースされた構成が採用されている。特許文献１には、かかる用紙処理装置によれば、帯電したオペレータの指先が用紙検出手段に接近しても、指先からの静電気放電が用紙検出手段の構成要素である電子回路基板に帯電によるダメージを与えることがなく、用紙検出手段の故障による誤検出が有効に防止されることが示されている。
【０００５】
また、用紙を搬送する搬送路に向けて露出した筐体に内装される基板を有し搬送路中の用紙の有無を検知する検知部材と、金属製の接地部材と、接地部材に電気的に結合される導電性部材とを備え、その導電性部材が、線材からなる屈曲体で形成され、その線材の一端側が接地部材に取り付けられ、その線材の他端側が筐体を囲むようにした用紙供給ユニットやそれを備えた画像形成装置がある（特許文献２）。特許文献２には、この用紙供給ユニット等によれば、搬送路を通過する用紙に蓄積された静電気やジャム処理作業を行う手指等から静電気が基板に向けて放電されたとしても、導電性部材に放電され、基板が静電気の放電から保護されることが示されている。
【先行技術文献】
【特許文献】
【０００６】
【特許文献１】特開２００５−１６２３４２号公報
【特許文献２】特開２００９−５１６２５号公報
【発明の概要】
【発明が解決しようとする課題】
【０００７】
この発明は、移動する用紙等の被検出物が接触して揺れ動く可動部材をその停止している位置に戻す力を発生する金属ばねに静電気が放電することがあっても、その可動部材が揺れ動くことを検出して電気信号を発する検出部品を簡易な構成で静電気から保護することができる検出装置を提供するものである。また、この発明は、その検出装置を用いて用紙が搬送されるときの通過を検出する場合に、その検出装置の金属ばねに静電気が放電しても検出部品が保護されて正常な検出動作に基づく用紙の処理動作を行うことができる用紙処理装置を提供するものである。
【課題を解決するための手段】
【０００８】
この発明（Ａ１）の検出装置は、
移動する被検出物を扱う対象装置の検出位置に取り付ける支持体と、
前記支持体から突出している部分を有するとともに当該支持体に支点を中心に揺れ動く状態で支持され、当該突出部分に被検出物が接触して通過することで停止している位置から揺れ動かされる可動部材と、
前記支持体と前記可動部材の双方に接触した状態で取り付けられ、当該可動部材が揺れ動いたときに当該可動部材を前記停止位置に戻す力を発生する金属ばねと、
前記支持体に取り付けられ、前記可動部材が揺れ動いたことを検出して電気信号を生成する検出部品と
を有し、
前記金属ばねが、前記対象装置において接地されている部材と接触する通電部を備えているものである。
【０００９】
この発明（Ａ２）の検出装置は、上記発明Ａ１の検出装置において、前記可動部材が、揺れ動くときの支点となる回転軸部を有する形状であり、
前記金属ばねが、前記可動部材の回転軸部の周囲に回転自在に取り付けられる螺旋巻き部を有する形状であって、前記螺旋巻き部の一端から延びる一端部が前記支持体の一部に接触した状態で取り付けられ、前記螺旋巻き部の他端から延びる他端部が前記可動部材の一部に接触した状態で取り付けられ、
前記金属ばねの通電部が、当該金属ばねの前記一端部と前記接地されている部材の双方に接触する通電材で構成されているものである。
【００１０】
この発明（Ａ３）の検出装置は、上記発明Ａ１の検出装置において、前記可動部材が、揺れ動くときの支点となる回転軸部を有する形状であり、
前記金属ばねが、前記可動部材の回転軸部の周囲に回転自在に取り付けられる螺旋巻き部を有する形状であって、前記螺旋巻き部の一端から延びる一端部が前記支持体の一部に接触した状態で取り付けられ、前記螺旋巻き部の他端から延びる他端部が前記可動部材の一部に接触した状態で取り付けられ、
前記金属ばねの通電部が、当該金属ばねの前記一端部を前記接地されている部材と接触するように形成して構成されているものである。
【００１１】
この発明（Ａ４）の検出装置は、上記発明Ａ１からＡ３のいずれかの検出装置において、前記支持体に着脱自在に取り付けられるとともに、前記金属ばねの通電部の一部を当該支持体の一部に押し付けて固定した状態に保つ着脱部材を有しているものである。
【００１２】
また、この発明（Ｂ１）の用紙処理装置は、筐体と、前記筐体の内部に形成されて用紙を搬送する搬送路と、前記搬送路を搬送される用紙の通過を検出する検出装置とを有し、
前記検出装置が、上記発明Ａ１からＡ４のいずれかの検出装置で構成されているものである。
【００１３】
この発明（Ｂ２）の用紙処理装置は、上記発明Ｂ１の用紙処理装置において、前記検出装置は、前記支持体が接地及びめっき処理されている金属板に取り付けて固定されており、前記金属板は、金属が露出する端面部を有しており、前記金属ばねの通電部は、前記金属板の端面部に接触するように形成されているものである。
【００１４】
この発明（Ｂ３）の用紙処理装置は、上記発明Ｂ１又はＢ２の用紙処理装置において、前記筐体の内部に設置されて用紙に画像を形成する画像形成部を有するものである。
【発明の効果】
【００１５】
上記発明Ａ１の検出装置によれば、その発明の構成を有しない場合に比べて、移動する用紙等の被検出物が接触して揺れ動く可動部材をその停止している位置に戻す力を発生する金属ばねに静電気が放電することがあっても、その可動部材が揺れ動くことを検出して電気信号を発する検出部品を簡易な構成で静電気から保護することができる。
【００１６】
上記発明Ａ２の検出装置では、その発明の構成を有しない場合に比べて、金属ばねに静電気が放電することがあっても、検出部品を簡易な構成で静電気から容易に保護することができる。
【００１７】
上記発明Ａ３の検出装置では、その発明の構成を有しない場合に比べて、金属ばねに静電気が放電することがあっても、検出部品をより一層簡易な構成で静電気から容易に保護することができる。
【００１８】
上記発明Ａ４の検出装置では、その発明の構成を有しない場合に比べて、金属ばねに静電気が放電することがあっても、検出部品を簡易な構成で静電気から安定して保護することができる。
【００１９】
上記発明Ｂ１の用紙処理装置によれば、その発明の構成を有しない場合に比べて、検出装置を用いて用紙が搬送されるときの通過を検出する場合に、その検出装置の金属ばねに静電気が放電しても検出部品が保護されてその検出装置の金属ばねに静電気が放電しても検出部品が保護されて正常な検出動作に基づく用紙の処理動作を行うことができる。
【００２０】
上記発明Ｂ２の用紙処理装置では、その発明の構成を有しない場合に比べて、検出装置の金属ばねに静電気が放電しても検出部品が確実に保護されて正常な検出動作に基づく用紙の処理動作をより安定して行うことができる。
【００２１】
上記発明Ｂ３の用紙処理装置では、その発明の構成を有しない場合に比べて、検出装置の金属ばねに静電気が放電しても検出部品が確実に保護されて正常な検出動作に基づく用紙の処理動作（画像形成の動作を含む）を安定して行うことができる。
【図面の簡単な説明】
【００２２】
【図１】実施の形態に係る画像形成装置の概要を示す説明図である。
【図２】図１の画像形成装置における一部（排出用の用紙搬送路とその周辺部）を拡大して示す説明図である。
【図３】用紙センサの動作を示す説明図であり、（ａ）は可動アームが停止している位置にあるときの状態を示し、（ｂ）は可動アームが記録用紙の接触により揺れ動くときの状態を示している。
【図４】図１の画像形成装置における開閉部分の構成を示す説明図である。
【図５】図４の開閉部分を開けた状態を示す概略斜視図である。
【図６】図４の開閉部分に設置されている用紙センサとその周辺部の状態を示す斜視図である。
【図７】図６用紙センサとその周辺部を別の方向から見たときの状態を示す斜視図である。
【図８】実施の形態に係る用紙センサの構成を示す斜視図である。
【図９】図８の用紙センサを別の角度から見たときの状態を示す斜視図である。
【図１０】図８の用紙センサの分解斜視図である。
【図１１】図１０の用紙センサから開閉カバーを取り外したときの状態を示す分解斜視図である。
【図１２】図８の用紙センサを取り付ける取付けフレームとその周辺部の状態を示す斜視図である。
【図１３】図８の用紙センサを取付けフレームに取り付けるとき又は取り外したときの状態を示す斜視図である。
【図１４】図６の用紙センサから開閉カバーを取り外したとき又は用紙センサの一部を取付けフレームに取り付けたときの状態を示す斜視図である。
【図１５】図１４の用紙センサ、開閉カバー及び取付けフレームの別の角度から見たときの状態を示す斜視図である。
【図１６】他の実施の形態に係る用紙センサの構成を示す斜視図である。
【発明を実施するための形態】
【００２３】
以下、この発明を実施するための形態（以下、単に「実施の形態」という）について添付の図面を参照しながら説明する。
【００２４】
図１は実施の形態に係る画像形成装置１の概要を示し、図２はその画像形成装置１の一部（排出用の用紙搬送路とその周辺部）を拡大して示している。
【００２５】
この実施の形態に係る画像形成装置１は、例えばカラープリンタとして構成されたものであり、筐体１０の内部空間に、公知の電子写真方式、静電記録方式等の画像記録方式を利用して入力画像情報に基づいて現像剤としてのトナー（着色等がされた微粉体）で現像されるトナー像を形成する複数の作像装置２と、作像装置２で形成されたトナー像を保持して最終的に被記録材としての記録用紙９に転写する中間転写装置３と、中間転写装置３に供給すべき所要の記録用紙を収容して搬送する給紙装置４と、中間転写装置３でトナー像が転写された記録用紙９を通過させてトナー像の定着を行う定着装置５等が設置されている。図中の矢付き一点鎖線は、記録用紙９の主な搬送経路を示す。
【００２６】
筐体１０は、画像形成装置１の骨組み部を構成する支持フレーム、支持プレート等の支持部材や、外装カバー等を用いて形成される構造部分である。筐体１０の定着装置５に近い側に側面部には、図２に示すように用紙排出口１２が形成されている。また、筐体１０の側面部の外側には、用紙排出口１２を通して画像が形成された後の記録用紙９を排出して収容する排出収容体１３が筐体１０の外部に突出した状態で取り付けられている。
【００２７】
作像装置２は、イエロー（Ｙ）、マゼンタ（Ｍ）、シアン（Ｃ）及びブラック（黒：Ｋ）の４色のトナー像を専用に形成することができる４つの作像装置（２Ｙ，２Ｍ，２Ｃ，２Ｋ）で構成されている。４つの作像装置２（Ｙ，Ｍ，Ｃ，Ｋ）は、筐体１０の上部空間域内において直列に並べた状態となるよう配置されている。また、各作像装置２（Ｙ，Ｍ，Ｃ，Ｋ）は、以下に示すようにほぼ共通した構成のものである。
【００２８】
各作像装置２（Ｙ，Ｍ，Ｃ，Ｋ）は、図２等に示すように、回転する感光ドラム２１を備えており、この感光ドラム２１の周囲に、次のような各装置が主に配置されている。主な装置とは、感光ドラム２１の像保持面（トナー像を保持する表面部分）を所要の電位に帯電させる帯電装置２２と、感光ドラム２１の帯電された像保持面に外部から入力される画像情報（信号）に基づく光を照射して電位差のある（各色用の）静電潜像を形成する露光装置２３と、その静電潜像を対応する色（Ｙ，Ｍ，Ｃ，Ｋ）のトナーで現像して可視像であるトナー像とする現像装置２４（Ｙ，Ｍ，Ｃ，Ｋ）と、そのトナー像を中間転写装置３（の中間転写ベルト）に転写する一次転写装置２５と、転写後の感光ドラム１２の像保持面に残留して付着するトナー等の付着物をかき取って除去する図示しない清掃装置とである。露光装置２３は、１つの筐体から各作像装置２（Ｙ，Ｍ，Ｃ，Ｋ）の感光ドラム２１にむけて光がそれぞれ出射して照射されるように構成されている。
【００２９】
中間転写装置３は、直列に並べた状態の各作像装置２（Ｙ，Ｍ，Ｃ，Ｋ）の下方の位置に存在するように配置される。この中間転写装置３は、感光ドラム２１と一次転写装置２５（一次転写ロール）の間となる一次転写位置を通過しながら矢印で示す方向に回転する中間転写ベルト３１と、中間転写ベルト３１をその内面から所望の状態に保持して回転自在に支持する複数の支持ロール３２〜３４と、支持ロール３４に支持されている中間転写ベルト３１に所定の圧力で接触して回転する二次転写ロール３５と、二次転写ロール３５を通過した後に中間転写ベルト３１に残留して付着するトナー等を除去するベルト清掃装置３６とで主に構成されている。
【００３０】
給紙装置４は、筐体１０の下部空間域内において中間転写装置３の下方側の位置に存在するように配置される。給紙装置４は、筐体１０の正面（使用者が使用時に向き合う側面）側に引き出すことができるように取り付けられ、所望のサイズ、種類等の記録用紙９を積載した状態で収容する用紙収容体４１と、用紙収容体４１から記録用紙９を１枚ずつ送り出す送出装置４２とで主に構成されている。この実施の形態では、用紙収容体４１として上面が開口した箱状のものを３つ使用しており、その各用紙収容体４１に異なるサイズ、種類等の記録用紙９を配分して収容するとともに所要の記録用紙９を収容された用紙収容体４１から選択して送り出すことができるようになっている。
【００３１】
筐体１０において給紙装置４の各用紙収容体４１における送出装置４２と作像装置２の二次転写位置との間をつなげる内部領域には、筐体１０の一方の側面部に接近した状態で設置される複数の搬送ロール対４５ａ，４５ｂ，４５ｃ，４５ｄ，…と、搬送ガイド材等で構成される給紙用の用紙搬送路４５が設けられている。搬送ロール対４５ｄは、記録用紙９の搬送時期や搬送状態を調整する等の機能を有する調整ロール対として構成されている。給紙装置４の各用紙収容体４１から送り出された記録用紙９は、給紙用の用紙搬送路４５を経由して、中間転写装置３の中間転写ベルト３１と二次転写ロール３５の間となる二次転写位置まで搬送される。
【００３２】
定着装置５は、二次転写装置３の片側と給紙装置４（最上段の用紙収容体４１）との間の空間に配置されている。定着装置５は、断熱性を有する筐体５１の内部に、矢印方向に回転するとともに表面温度が所定の温度に保持されるように加熱手段によって加熱される加熱ロール５２と、この加熱ロール５２の軸方向にほぼ沿う状態で所定の圧力で接触して従動回転するロール形式、ベルト形式等の加圧用回転体５３とを設置したものである。二次転写位置と定着装置５との間には、二次転写後に記録用紙９を定着装置５まで搬送するベルト形式の用紙搬送装置５５が配置されている。
【００３３】
筐体１０における定着装置５と排出収容体１３（用紙排出口１２）との間をつなげる内部領域には、図１や図２に示すように、排出用の用紙搬送路５６が設けられている。また、筐体１０における排出用の用紙搬送路５６の下方側の位置に存在する内部領域には、その用紙搬送路５７の途中から枝分かれして筐体１０の一側面部に接近した状態で延びる表裏面反転用の用紙搬送路５７が設けられている。さらに、筐体１０における延びる表裏面反転用の用紙搬送路５７の途中から枝分かれして中間転写装置３及び定着装置５と給紙装置４との間（隙間）となる内部領域には、用紙搬送路５７で表裏面が反転された用紙９が給紙用の用紙搬送路４５に合流するように搬送されて再び二次転写位置に送られる両面画像形成用の用紙搬送路５８が設けられている。
【００３４】
排出用の用紙搬送路５６は、図２等に示すように、排出搬送ロール対５６ａや搬送ガイド材５６ｂ等で構成されている。表裏面反転用の用紙搬送路５７は、用紙搬送ロール対５７ａ，正逆の回転切り替えが可能な用紙搬送ロール対５７ｂ，５７ｃ，…や、搬送ガイド材５７ｄ，５７ｅ，５７ｆ，ガイドフィルム５７ｇ、５７ｈや、搬送先切替え材５９で構成されている。両面画像形成用の用紙搬送路５８は、用紙搬送ロール対５８ａ，５８ｂ，５８ｃ，…や、搬送ガイド材で構成されている。搬送先切替え材（爪）５９は、全体がほぼ三角形状であって支点５９ａを中心に揺動するように支持されており、定着後の記録用紙９を用紙搬送路５６の側に誘導する状態と、定着後の記録用紙９を用紙搬送路５７の側に誘導する状態のいずれかの状態になるよう揺動して切り替えられる。
【００３５】
また、排出用の用紙搬送路５６には、２つの用紙センサ６，１５が配置されている。
【００３６】
第１の用紙センサ６は、用紙搬送路５６の用紙搬送方向上流側に配置され、定着後の記録用紙９が搬送先切替え材５９により表裏面反転用の用紙搬送路５７の側に搬送された（送り込まれた）か否かを検出する。第２の用紙センサ１５は、用紙搬送路５６の用紙搬送方向下流側に配置され、定着後の記録用紙９が排出搬送ロール５６ａの側に搬送されたか否かを検出する。
【００３７】
用紙センサ６，１５はいずれも、図２や図３に示すように、検出すべき用紙が搬送される搬送路５６，５７の内部を縦断するように垂れ下がり、搬送される用紙９が接触することで支点（軸部）Ｐ１，Ｐ２を中心に揺れ動く可動アーム（アクチュエータ）６１，１６を有し、その可動アーム６１，１６が所要の量（角度）以上揺動したことを光透過型の検出器６３，１７によって検出することで用紙の通過を検出できる方式のものである。可動アーム６１，１６はいずれも、図３に示すように、記録用紙５が接触して揺れ動いたときに、その停止している位置（記録用紙９が通過しない時期に存在しているべき位置）に戻す力を発生する金属ばね６２が取り付けられている。光透過型の検出器６３，１７は、可動アーム６１，１６の実際に検出される対象部分６１ｃ，１６ｃを挟む状態で発光部と受光部が対向して配置され、その発光部と受光部の動作を制御する回路基板を具備するものである。
【００３８】
この画像形成装置１による基本的な画像の形成は、以下のようにして行われる。
【００３９】
まず、画像形成装置１では、前記４つの作像装置２（Ｙ，Ｍ，Ｃ，Ｋ）をすべて使用して形成する４色（Ｙ，Ｍ，Ｃ，Ｋ）のトナー像で構成されるフルカラー画像を形成するときの動作パターン（フルカラーモード）と、４つの作像装置２（Ｙ，Ｍ，Ｃ，Ｋ）の１つを使用して形成する１色のトナー像で構成される単色画像を形成するときの動作パターン（単色モード）が可能である。単色モードとしては、例えば黒色（Ｋ）のトナー像で構成される白黒画像を形成する白黒モードがある。
【００４０】
ここでは、フルカラーモードのときの画像形成動作について説明する。
【００４１】
まず、４つの作像装置２（Ｙ，Ｍ，Ｃ，Ｋ）において、各感光ドラム２１が矢印で示す方向に回転し、各帯電装置２２がその各感光ドラム２１の像保持面を所要の極性（この実施の形態では例えばマイナス極性）及び電位にそれぞれ帯電させる。露光装置２３は、帯電後の感光ドラム２１に対して各色成分（Ｙ，Ｍ，Ｃ，Ｋ）に分解された画像信号に基づく露光を行い、所定の電位差で構成される各色成分の静電潜像をそれぞれ形成する。各現像装置２４は、感光ドラム２１に形成された各色成分の静電潜像に、所定の極性（マイナス極性）に帯電された現像ロール２５ａを介して各色（Ｙ，Ｍ，Ｃ，Ｋ）のトナーを供給して静電的に付着させることで現像し、これによりトナー像として顕像化する。
【００４２】
続いて、各作像装置２（Ｙ，Ｍ，Ｃ，Ｋ）の一次転写位置において、感光ドラム２１上に形成された各色のトナー像が、一次転写装置２５で形成される転写電界により中間転写装置３の中間転写ベルト３１に対し順番に一次転写されて重ね合わされる。中間転写装置３は、中間転写ベルト３１に一次転写されたトナー像が、二次転写位置において二次転写ロール３５で形成される転写電界により、給紙装置４から給紙用の搬送路４５を経由して搬送される記録用紙９に対し一括して二次転写される。
【００４３】
二次転写が終了した記録用紙９は、中間転写ベルト３１から剥離された後に搬送装置５５により搬送されて定着装置５に導入される。定着装置５は、トナー像が転写された記録用紙９を加熱ロール５２と加圧用回転体５３の接触部を通過させて加熱及び加圧させることでトナー像を形成するトナーを溶融させて用紙９に定着させる。定着が終了した後の記録用紙９は、その片面への画像形成を行うだけの場合には、排出用の用紙搬送路５６を経由して筐体１０の外部に排出されて排出収容体１３に収容される。
【００４４】
以上により、１枚の記録用紙９に対しては、４色のトナー像を組み合わせて構成されるフルカラー画像が形成される。
【００４５】
また、フルカラーモード及び単色モードのいずれの場合においても、通常は、その記録用紙９を、その画像が形成された面が上を向いた状態（フェイスアップの状態）で排出収容体１３に収容する。しかし、記録用紙９を裏返してその画像形成面が下を向いた状態（フェイスダウンの状態）で排出収容体１３に収容させるときには、定着後の記録用紙９を表裏面反転用の用紙搬送路５７側に送り込み、その用紙の送り方向後端部が搬送ロール対５７ａとガイドフィルム５７ｇを通過した後に停止させられ、しかる後、搬送ロール対５９ｂ等を逆回転させることにより、その用紙９の後端部を先頭にした状態で排出ロール対５６と排出口１２を経由させて排出収容体１３に収容させることになる。
【００４６】
さらに、フルカラーモード及び単色モードのいずれの場合においても、記録用紙９の両面に画像を形成することが可能であり、その両面に画像を形成するときには、第１面への画像形成が終了した記録用紙９が以下のように搬送される。すなわち、定着後の記録用紙９は、搬送先切替え材５９により表裏面反転用の用紙搬送路５７側に搬送され、その送り方向後端部が搬送ロール対５７ａとガイドフィルム５７ｇを通過した後に停止させられ、しかる後、用紙搬送路５７から両面画像形成用の用紙搬送路５８に枝分かれする部分に配置される図示しない搬送先切替え材の誘導により、その用紙９の後端部を先頭にした状態で両面画像形成用の用紙搬送路５８に送り込まれる。この用紙搬送路５８に送られた記録用紙９は、給紙用の用紙搬送路４５に合流した後、調整ロール対４５ｄによって所要の時期に二次転写位置に送り込まれて第２面用のトナー像が二次転写される。
【００４７】
また、画像形成装置１においては、記録用紙９をフェイスアップの状態及びフェイスダウンの状態で排出収容体１３に収容させる場合、その記録用紙９の通過が第２の用紙センサ１５により検出されることで（実際には、用紙センサ１５から発する検出信号が図示しない制御装置に送信されることで）、その用紙９が排出ロール対５６ａを通過して排出収容体１３に排出されたことを判別している。また、記録用紙９をフェイスダウンの状態で排出収容するときと両面（第２面）に画像を形成する場合には、その用紙９の通過が第１の用紙センサ６により検出されることで（実際には、用紙センサ６から発する検出信号が図示しない制御装置に送信されることで）、記録用紙９が表裏面反転用の用紙搬送路５７側に搬送されたことを判別している。
【００４８】
一方、第１の用紙センサ６や第２の用紙センサ１５による検出が予め設定する所要の時間以内になされないときは、記録用紙９が排出用の用紙搬送路５６又は表裏面反転用の用紙搬送路５７の入口やその途中部分で紙詰まり等の搬送不良を起こしていると判別するようにしている。
【００４９】
また、この画像形成装置１は、図４及び図５に示すように、筐体１０のうち排出用の用紙搬送路５６及び表裏面反転用の用紙搬送路５７が装備される一部（開閉部分）１０Ａがヒンジ１４を中心にして揺動することで開閉することができる構造になっている。これにより、排出用の用紙搬送路５６や表裏面反転用の用紙搬送路５７において紙詰まり等の搬送不良を起こしていると判別されたときに、その開閉部分１０Ａを筐体１０の本体部からその外側に開けた状態にしたうえで、その開閉部分１０Ａにおいて記録用紙９の紙詰まり等が発生している位置の確認作業や、その紙詰まり等を起こしている記録用紙９の除去作業を容易に行えるようにしている。
【００５０】
ところで、この画像形成装置１では、図４や図５に示すように筐体１０の開閉部分１０Ａを開けた状態にした場合、その開閉部分１０Ａに搭載されている第１の用紙センサ６が、図５や図６に示すように、可動アーム６１を停止している位置に戻す金属ばね６２の少なくとも一部を外部に露出させた状態で取り付けられている。図５や図６における符号１１は、筐体１０の開閉部分１０Ａを構成する部材（センサ設置スペース板）である。また、符号１８は、図７に示すように用紙センサ６の支持フレーム６０が実際に取り付けられて固定される取付けフレーム（ブラケット）であり、筐体１０の一部でもある。
【００５１】
このため、紙詰まり等を起こしている記録用紙９の除去作業を行うときに、その作業者の手が金属ばね６２に接近することがあると、その作業者に帯電している電荷（静電気）が手を通して金属ばね６２に対して放電することがある。このような静電気の放電は、金属ばね６２の周囲に通電性に優れた部品が存在している場合は、静電気がその通電性に優れた部品に放電することになるので起こりにくくなるが、その通電性に優れた部品が存在しない場合には起こりやすくなる。そして、この静電気の放電が発生した場合には、用紙センサ６の支持フレーム６０の内部に取り付けられている検出器６３の回路基板がダメージを受けて正常に動作しないことがある。
【００５２】
そこで、この画像形成装置１においては、図６〜図１０に示すように、用紙センサ６として、可動アーム６１を停止位置に戻す金属ばね６２が画像形成装置１の筐体１０において接地（アース）されている部材と接触する通電部７を備えたものを使用している。
【００５３】
まず、この実施の形態では、接地されている部材として、前記した用紙センサ６が取り付けられて固定される取付けフレーム１８を採用している。取付けフレーム１８は、亜鉛めっきを施した金属板であり、接地されている他の筐体１０の部品（フレームなど）に通電可能に接続されている。用紙センサ６は、その通電部７を接地されている取付けフレーム１８に接触させるように取り付けることにより通電可能に接続される（図１０）。
【００５４】
また、用紙センサ７は、図１０等に示すように、支持フレーム６０、可動アーム６１、金属ばね６２、検出器６３及び通電部７の通電線材７０でその主要部が構成されている。図１０等における符号６４は、支持フレーム６０に着脱自在な着脱カバーである。
【００５５】
支持フレーム６０は、センサ６のハウジングになるものであり、画像形成装置１の排出用の用紙搬送路５６における取付けフレーム１８に取り付けられるものである、この実施の形態における支持フレーム６０は、長方形状の箱状の本体部６０ａと、その本体部６０ａの一端側に隙間を開けた状態で突出する状態で形成された中空の突出部６０ｂ，６０ｃと、その突出部６０ｂ，６０ｃとは反対側に突出する状態で形成された３つの撓み結合突起（スナップフィット）６０ｄ〜６０ｆと有する形態のものである。撓み結合突起６０ｄ〜６０ｆは、取付けフレーム１８に形成される２つの差込孔１９ａ，１９ｂ（図７、図１３等）に差し込んで結合させることで支持フレーム６０を固定させるものである。また、この支持フレーム６０はプラスチック成形品である。
【００５６】
可動アーム６１は、支持フレーム６０の突出部６０ｂ，６０ｃの下部に形成される軸孔６０ｇ（支点Ｐ１となる）に差し込まれて回転自在に動く円柱形状の回転軸部６１ａと、回転軸部６１ａから支持フレーム６０の下方側（用紙搬送路５６の内部）に突出する状態で伸びてクランク状に屈曲して延びる形状からなり、被検出部である記録用紙９が接触する部分でもある突出部６１ｂと、回転軸部６１ａの中央部から突出部６１ｂが突出する方向とほぼ反対の方向に突出した扇形状の検出対象部６１ｃとを有する形態のものである。検出対象部６１ｃの円弧状の端面には、金属ばね６２の一端部が挿し入れられるようにして固定される取付け溝が形成されている。
【００５７】
このような可動アーム６１は、その支回転軸部６１ａの両端部の軸部が支持フレーム６０における突出部６０ｂ，６０ｃの下部に形成される軸孔６０ｇに差し込まれ、これにより、その軸孔６０ｇ（支点Ｐ１）を中心にして矢印Ａ１，Ａ２（図８等）で示す方向に揺れ動く状態に支持される。可動アーム６１の突出部６１ｂは、センサ設置スペース板１１に形成された開口１１ａを通して用紙搬送路５６の内部に存在させた状態にして使用される。可動アーム６１の検出対象部６１ｃは、支持フレーム６０における突出部６０ｂ，６０ｃの間の空間内に存在させ、その空間内に対して可動アーム６１の揺れ動きに応じて出入りするように揺れ動く状態にして使用される。また、この可動アーム６１はプラスチック成形品である。
【００５８】
金属ばね６２は、金属の線材を用いて形成した所謂ねじりコイルばねである。具体的には、金属ばね６２は、可動アーム６１の回転軸部６１ａの周囲に回転自在に取り付けられるよう螺旋状に巻かれたコイル部６２ａと、コイル部６２ａの一端から延びて支持フレーム６０の一部に接触した状態で取り付ける一端部６２ｂと、コイル部６２ａの他端から延びて可動アーム６１の一部に接触した状態で取り付けられる他端部６２ｃとを有する形状のものである。
【００５９】
一端部６０ｂは、図９等に示すように支持フレーム６０の本体部６０ａの外面に接触させている。他端部６０ｃは、可動アーム６１の検出対象部６１ｃに形成された取付け溝に引っ掛けている。これにより、金属ばね６２は、可動アーム６１が記録用紙９の接触により停止していた位置から矢印Ａ１で示す方向に揺れ動いたときに、その揺れ動く量にほぼ比例して一端部６０ｂのみが可動アームの検出対象部６２ｃと共に広げられるように弾性変形させられるので（図３参照）、その復元力に基づいて可動アーム６１をその停止位置に戻す方向（矢印Ａ２で示す方向）のばね力を発生するようになっている。
【００６０】
検出器６３は、検出用の光を発する発光部６０ａと、その光を受光する受光部６０ｂと、発光部６０ａ及び受光部６０ｂの動作を制御する回路基板６０ｃとでその主要部が構成されている。発光部６０ａと受光部６０ｂは、支持フレームの突出部６０ｂ，６０ｃのいずれかに別々に内臓されるように取り付けられ、突出部６０ｂ，６０ｃの間の空間内で互いに向き合った状態に配置される。また、回路基板６３ｃは、支持フレームの本体部６０ａの内部に配置している（図９参照）。回路基板６３ｃは、支持フレーム６０ａの突出部６０ｂ、６０ｃとは反対側の端部に形成した差し込み空洞部６０ｅに差し込まれるコネクタ６５と接続され、配線６６を通して画像形成装置１の制御部と接続されている（図９、図１０等を参照）。
【００６１】
この実施の形態における検出器６３は、可動アーム６１が停止している位置及びそれに近い位置にあるときには、可動アーム６１の検出対象部６１ｃが発光部６０ａから受光部６０ｂにむかう光の光路を遮断した状態になって、回路基板６３ｃからは受光部６０ｂが受光したという検出信号（電気信号）を発しないように設定されている（図３等を参照）。一方、可動アーム６１が記録用紙９により矢印Ａ１で示す方向に所要の角度だけ揺れ動いたときには、可動アーム６１の検出対象部６１ｃが上記光路を遮断しない状態になって、回路基板６３ｃからは受光部６０ｂが受光したという検出信号が発せられるように設定されている。
【００６２】
通電部７は、金属ばね７２と取付けフレーム１８の双方に接触するように取り付けられる通電線材７０で構成されている。
【００６３】
通電線材７０は、図１０等に示すように、１本を所要の形状に折り曲げて通電部７を有する形状に形成される。この実施の形態における通電線材７０は、金属ばね６２の一端部６２ｂに接触するばね接触部７１と、取付けフレーム１８に接触する通電フレーム接触部７２と、ばね接触部７１と通電フレーム接触部７２を結ぶ接続部７３と、通電フレーム接触部７２から延びて支持フレーム６０に引っ掛ける引っ掛け部７４を有する形状に折り曲げている。
【００６４】
ばね接触部７１は、金属ばね６２の支持フレーム本体部６０ａに接触している一端部６２ｂを本体部６０ａに押し付けるように、その本体部６０ａの外面に沿った直線状に形成されている。ばね接触部７１の先端部７１ａは、折り返す状態に折り曲げて機械的強度や取扱い上の安全性を確保し、金属ばね６２の一端部６２ｂとの接触を安定化させるようにしている。通電フレーム接触部７２は、支持フレーム本体部６０ａの側面から取付けフレーム１８のある側に向けて突出して取付けフレーム１８の一部に接触するように折り返す形状で形成されている。
【００６５】
接続部７３は、支持フレーム６０の一方の突出部６０ｃの付け根部分（本体部６０ａとの境界線部）に沿って立ち上がる立上げ部７３ａと、立上げ部７３ａの上端部から支持フレーム６０の本体部６０ａの上面を横断するように延びる直線状の第一水平部７３ｂと、第一水平部７３ｂの終端部から支持フレーム本体部６０ａの長手方向の稜線部に沿って通電フレーム接触部７２に至るようにほぼ直角に折り曲げられた直線状の第二水平部７３ｃとを有する形状で形成されている。引っ掛け部７４は、支持フレーム６０の本体部６０ａの側面部に沿って下方に延びる直線状の立下げ部７４ａと、立下げ部７４ａの終端部から支持フレーム本体部６０ａの底面部に回り込むようにほぼ直角に折り曲げる曲げ部７４ｂとを有する形状で形成されている。曲げ部７４ｂの終端部７４ｃは、安全上の対策として折り返すように折り曲げられている。
【００６６】
着脱カバー６４は、支持フレーム６０の本体部６０ａの一部（突出部６０ｂ，６０ｃがない部分など）を被覆する蓋形状のカバー本体部６４ａと、カバー本体部６４ａの一端部から突出して形成され、通電線材７０の一部（第一水平部７３ｂ）を本体部６０ａの外面に押し付けて固定するとともにカバー６４を本体部６０ａに引っ掛ける板状の第一取付け突出部６４ｂと、カバー本体部６４ａの他端部から突出して形成された突出部６４ｃとを有する形状ものである。
【００６７】
カバー本体部６４ａは、図１０、図１１等に示すように、第一取付け突出部６４ｂと直交する端部であって通電線材７０の立上げ部７３ａを支持フレーム６０に押し付ける端部となる第一押付け端面部６４ｅと、通電線材７０の通電フレーム接触部７２を取付けフレーム１８の一部（後述する端面部１８ａ）に押し付けるための第二押付け端面部６４ｆ（図１５参照）が形成されている。第一取付け突出部６４ｂは、その付け根部分に通電線材７０を通過させるとともに支持フレーム６０に押し付ける押付け曲げ部６４ｇと、支持フレーム６０の角部に引っ掛ける引っ掛け鉤部６４ｈが形成されている。
【００６８】
図１２は、用紙センサ６を設置する位置にある取付けフレーム１８とセンサ設置スペース板１１の状態を示している。取付けフレーム１８は、センサ設置スペース板１１の上方に位置にしており、センサ取付け折り曲げ面１８ｂに２つの差込孔１９ａ，１９ｂが形成されている。また、センサ設置スペース板１１には、用紙センサ６の可動アーム６１の突出部６１ｃを通過させるための開口１１ａが形成されている。図１２等において符号１８ａは、取付けフレーム１８における切断された端面部である。この端面部１８ａは、亜鉛めっきされた取付けフレーム１８を構成する金属が露出している。
【００６９】
次に、この用紙センサ６の組立て（取付け）と動作について説明する。
【００７０】
用紙センサ６は、支持フレーム６０に検出器６３が予め組み込まれており、その後、可動アーム６１が金属ばね６２と組み合わせて取り付けられる。この際、コネクタ６５は、支持フレーム６０から取り外されていて存在していない。
【００７１】
続いて、図１１等に示すように、可動アーム６１、金属ばね６２及び検出器６３が取り付けられた本体フレーム６０に対して、通電部７を構成する通電線材７０を取り付ける。
【００７２】
このとき通電線材７０は、例えば、本体フレーム６０の差し込み空洞部６０ｅの端部側から、その水平部７３ｂ、７３ｃが本体部６０ａの上面に存在する姿勢で差し入れ、その立上げ部７３ａが本体部６０ａと突出部６０ｃの境界部（窪んだ角部）に突き当たるまで押し込んだ後、そのばね接触部７１を、金属ばね６２の一端部６２ｂの上から押さえつける状態で接触させる。この結果、通電線材７０は、ばね接触部７１から通電フレーム接触部７２を通過して引っ掛け部７４の曲げ部７４ｂに至るまでの部分が、支持フレーム本体部６０ａの外面を取り囲むような状態で取り付けられる。
【００７３】
この実施の形態における通電線材７０は、その立上げ部７３ａや立下げ部７４ａなどの部分が支持フレーム本体部６０ａの外表面と少し隙間が存在するようなガタのある形状で形成されているので、本体フレームへの組み付けを容易に行うことができる。なお、通電線材７０については、支持フレーム本体部６０ａの外表面の寸法や形状にほぼ倣った形状で形成してもよい。この場合は、通電線材７０がそれ自体で支持フレーム６０に固定されたような状態に維持することができる。
【００７４】
用紙センサ６は、単体部品として見た場合、図８に示すように、この通電線材７０を取り付けた後に着脱カバー６４を取り付けることで完成品となる。
【００７５】
このとき着脱カバー６４を取り付けることにより、通電線材７０の第一水平部７３ｂが、着脱カバー６４の第一取付け突出部６４ｂの押付け曲げ部６４ｇによって本体部６０ａの外面に押し付けられた状態となる。また、通電線材７０の立上げ部７３ａが、着脱カバー６４の第一押付け端面部６４ｅにより本体部６０ａと突出部６０ｃの境界部に押し付けられた状態となる。さらに、通電線材７０の接地フレーム接触部７２が、着脱カバー６４の第二押付け端面部６４ｆにより取付けフレーム１８の端面部１８ａに押し付けられた状態となる（図７参照）。このように通電線材７０は、着脱カバー６４を取り付けることにより、支持フレーム６０の本体部６０ａに対して確実に固定される。ちなみに、着脱カバー６４を取り付ける前に、コネクタ６５を支持フレーム６０の取付け空洞部６０ｅに差し込んで取り付けておく。
【００７６】
一方、用紙センサ６は、その使用する対象物である画像形成装置１の取付けフレーム１８に取り付ける場合には、その着脱カバー６４を取り付ける前に、支持フレーム６０を取付けフレーム１８に取り付ける。
【００７７】
この支持フレーム６０の取付けフレーム１８への取り付けは、図１３〜図１５に示すように、撓み結合突起６０ｄ〜６０ｆを差込孔１９ａ，１９ｂに差し込んで結合することによって行われる。この際、着脱カバー６４を取り付けていない場合は、最後に、着脱カバー６４を支持フレーム６０に対して取り付ける。この結果、用紙センサ６は、図６や図７に示すように
【００７８】
そして、用紙センサ６は、取付けフレーム１８に取り付けられることによって、その通電部７（実際には通電線材７０の接地フレーム接触部７２）が取付けフレーム１８の端面部１８ａに接触した状態におかれる。これにより、用紙センサ６の金属ばね６２は、図８や図９に示すように、通電部７（通電線材７０）を介して接地されている取付けフレーム１８と通電可能に接続された状態になる。
【００７９】
したがって、この用紙センサ６は、前述したように紙詰まりを起こした記録用紙９の除去作業を行うために筐体１０の開閉部分１０Ａを開けたときには、図５に示すように、その金属ばね６２の一部（コイル部６２ａや他端部６２ｃ）が外部に露出した状態におかれ、その金属ばね６２の一部に対して作業者から静電気が放電するおそれがあるが、かかる静電気の放電が発生した場合には、その静電気は金属ばね６２の一端部６２ｂから通電線材７０を通して接地されている取付けフレーム１８に流れる。
【００８０】
この結果、金属ばね６２の一端部６２ｂが接触している支持フレーム本体部６０ａの内部に配置されている検出器６３の回路基板６３ｃは、そのときの静電気から保護される。これにより、用紙センサ６（実際には検出器６３の回路基板６３ｃ）は静電気の放電が発生した後においても正常に動作し続けることができ、記録用紙９の通過の検出を正常に行うことが可能になる。
【００８１】
また、この用紙センサ６では、通電部７（通電線材７０の接地フレーム接触部７２）を取付けフレーム１８の切断した端面部１８に接触させているので、かかる取付けフレーム１８の亜鉛めっきがされている表面に通電部７を接触させた場合に比べて、静電気を取付けフレーム１８に確実に流すことができ、用紙センサ６（検出器６３の回路基板６３ｃ）を静電気から確実に保護することができる。
【００８２】
さらに、この用紙センサ６では、通電線材７０の金属ばね６２との接触を、金属ばね６２のコイル部６２ａ以外の一端部６２ｂに対して行っているので、かかる接触を金属ばね６２のコイル部６２に対して行った場合に比べて、可動アーム６１の揺れ動く動作や金属ばね６２の可動フレーム６２に対する戻し動作に支障をおよぼすことがない。
【００８３】
[他の実施の形態]
前記した実施の形態では、用紙センサ６の通電部７として金属ばね６２とは別の部材である通電線材７０を用いて構成した場合について例示したが、この他にも、例えば、図１６に示すように、金属ばね６２の一部を通電部７として構成するようにしてもよい。
【００８４】
図１６に示す構成例は、前記した実施の形態における金属ばね（ねじりコイルばね）６２の支持フレーム６０の一部に接触させる一端部６２ｂを、接地している取付けフレーム１８の端面部１８ａとの接触が可能な位置まで伸ばし（符号６２ｄは延長部）、その延長部６２ｄの終端部又は途中に接地フレーム接触部６２ｅを形成したものである。この金属ばね６２の通電部７を構成するための延長部６２ｄ及び接地フレーム接触部６２ｅは、前記した実施の形態の場合と同様に、最終的に着脱カバー６４の一部（第二押付け端面部６４ｆ等）により支持フレーム６０に固定される。
【００８５】
通電部７を金属ばね６２とは別の部材で構成する場合、その通電部材は、線材に限らず薄板や、薄板と線材の複合材等の形態のものであっても構わない。また、通電線材を用紙センサ６の支持フレーム６０に固定する手段としては、着脱カバー６４以外の手段を適用しても構わない。
【００８６】
用紙センサ６の金属ばね６２は、用紙センサ６を取り付けた際に金属ばね６２が外部に露出した状態になるのであれば、前記したねじりコイルばねに限らず、他の形態のばねを適用することも可能である。また、金属ばね６２の取付け形態についても、可動アーム６１のコイル部６１ａを通して取り付ける形態に限定されず、例えば、可動アームの突出部６２ｂや検出対象部６２ｃと支持フレーム６０の間を接続するように取り付ける形態であってもよい。
【００８７】
このような用紙センサ６は、必要であれば、画像形成装置１の他の用紙搬送路に設置して使用することも可能である。また、前記した実施の形態では、用紙センサ６を筐体の開閉部分１０Ａの側に設置した場合について例示したが、その開閉部分１０Ａを開けたときに現われる筐体１０の本体部側に用紙センサ６を（金属ばね６２が外部に露出した状態で）設置した場合でも静電気の放電に対して有効となる。
【００８８】
前記した実施の形態では、通電部７を備えた用紙センサ６を画像形成装置１に適用した場合を例示したが、用紙（シート状のもの）を扱う装置であれば、その用紙の通過を検出することが必要な他の用紙処理装置についても同様に適用することができる。その他の用紙処理装置としては、例えば、原稿である用紙を送る原稿搬送装置や、用紙を画像形成装置の外部からその画像形成装置に供給する用紙供給装置や、画像が形成された用紙などに綴じ処理、孔開け処理等の後処理を施す後処理装置、用紙搬送装置などが挙げられる。
【００８９】
この他、画像形成装置１についても、前記した実施の形態で例示した記録方式などを採用するものに限定されず、他の記録方式（インクジェット記録方式など）や中間転写方式を適用しない記録方式などを適用した画像形成装置であっても差し支えない。また、カラー画像形成装置に限らず、単色の画像を形成する画像形成装置であってもよい。
【符号の説明】
【００９０】
１  …画像形成装置（用紙処理装置）
２  …作像装置（画像形成部の一部）
３  …中間転写装置（画像形成部の一部）
５  …定着装置（画像形成部の一部）
６  …用紙センサ（検出装置）
７  …通電部
９  …記録用紙（被検出物）
１０…筐体
１０Ａ…開閉部分（開閉部材）
１８…取付けフレーム（接地されている部材）
１８ａ…端面部
５６…排出用の用紙搬送路
６０…支持フレーム（支持体）
６１…可動アーム（可動部材）
６１ａ…回転軸部
６１ｂ…突出部分
６２…金属ばね
６２ａ…コイル部（螺旋巻き部）
６２ｂ…一端部
６２ｃ…他端部
６２ｄ…延長部（通電部の一部）
６２ｅ…接地フレーム接触部（通電部の一部）
６３…検出器（検出部品）
６３ｃ…回路基板（検出部品の一部）
６４…着脱カバー（着脱部材）
７０…通電線材（通電材）
７２…接地フレーム接触部（通電部の一部）
Ｐ１…支点
Ａ１，Ａ２…可動アームの揺れ動く方向
【図１】
2012006718.tif 000003
【図２】
2012006718.tif 000004
【図３】
2012006718.tif 000005
【図４】
2012006718.tif 000006
【図５】
2012006718.tif 000007
【図６】
2012006718.tif 000008
【図７】
2012006718.tif 000009
【図８】
2012006718.tif 000010
【図９】
2012006718.tif 000011
【図１０】
2012006718.tif 000012
【図１１】
2012006718.tif 000013
【図１２】
2012006718.tif 000014
【図１３】
2012006718.tif 000015
【図１４】
2012006718.tif 000016
【図１５】
2012006718.tif 000017
【図１６】
2012006718.tif 000018